(57)【要約】【課題】  自転車や自動二輪車等の車両を用いて、犬等の動物を引率して走行させるための動物用走行用具において、必要なときに、速やかに、曳き綱の緊張を解放することができるようにする。【解決手段】  車両に取付けられる取付け部１に対して発条部４を介して支持扞部５を設け、この支持扞部５の先端側に、保持部９ａ及び保持部９ａに対して着脱可能な被保持部９ｂからなる解放操作部９を取付ける。解放操作部９の被保持部９ｂから動物に至る第１の曳き綱１０と、支持扞部５の先端側から解放操作部９の被保持部９ｂに至る第２の曳き綱７とを設ける。解放操作部９において被保持部９ｂが解放されると、取付け部１から動物までの距離が、発条部４、支持扞部５、第２の曳き綱７及び第１の曳き綱１０の長さを合わせた距離となる。【選択図】  図１
2006067961.tif 000002
【特許請求の範囲】
【請求項１】
車両に取付けられる取付け部と、
前記取付け部に対して、発条部を介して支持される支持扞部と、
前記支持扞部の先端側に取付けられた保持部及びこの保持部に対して着脱可能に取付けられた被保持部からなる解放操作部と、
基端側が前記解放操作部の被保持部に取付けられ、先端側が動物に対する連結部となっている第１の曳き綱と、
基端側が前記支持扞部の先端側に取付けられ、先端側が前記解放操作部の被保持部に取付けられた第２の曳き綱と
を備え、
前記解放操作部の被保持部が前記保持部に装着されているときには、前記取付け部から前記連結部までの距離が、前記発条部、前記支持扞部及び前記第１の曳き綱の長さを合わせた距離となり、
前記解放操作部の被保持部が前記保持部より解放されたときには、前記取付け部から前記連結部までの距離が、前記発条部、前記支持扞部、前記第２の曳き綱及び前記第１の曳き綱の長さを合わせた距離となる
ことを特徴とする動物用走行用具。
【請求項２】
前記解放操作部は、前記被保持部に設けられた操作部が前記保持部から離間する方向に手動操作されることにより、前記保持部による前記被保持部に対する保持を解放することを特徴とする請求項１記載の動物用走行用具。
【請求項３】
前記解放操作部は、前記保持部に設けられた操作部が手動操作されることにより、該保持部による前記被保持部に対する保持を解放することを特徴とする請求項１記載の動物用走行用具。
【請求項４】
前記解放操作部において、前記保持部による前記被保持部に対する保持を解放させる駆動手段と、
前記駆動手段を遠隔操作する遠隔操作装置と
を備え、
前記解放操作部は、前記駆動手段が前記遠隔操作装置を介して駆動されることにより、前記保持部による前記被保持部に対する保持を解放する
ことを特徴とする請求項１記載の動物用走行用具。
【請求項５】
前記第１の曳き綱の少なくとも一部は、コイル状に構成され、引っ張り力に対して弾性を有していることを特徴とする請求項１乃至請求項４のいずれか一に記載の動物用走行用具。
【請求項６】
前記発条部が変位することによる前記支持扞部の移動を規制する規制部材を備え、
前記規制部材は、前記発条部が自然状態であるときの前記支持扞部の位置よりも前記車両の前方側に該支持扞部が移動することを規制することを特徴とする請求項１乃至請求項５のいずれか一に記載の動物用走行用具。
【請求項７】
前記第１の曳き綱の基端側より中途部までを覆ってこの第１の曳き綱に取付けられている管状部材と、
前記管状部材の移動を規制する規制部材とを備え、
前記規制部材は、前記管状部材が前記支持扞部よりも前記車両の前方側に移動することを規制する
ことを特徴とする請求項１乃至請求項５のいずれか一に記載の動物用走行用具。
【発明の詳細な説明】
【技術分野】
【０００１】
本発明は、自転車や自動二輪車等の車両を用いて、犬等の動物を引率して走行させるための動物用走行用具に関する。
【背景技術】
【０００２】
従来、特許文献１に記載されているように、自転車等の車両を用いて、犬等の動物を曳き綱によって引率して走行させるための動物用走行用具が提案されている。この動物用走行用具は、図８に示すように、自転車等の車両に取付けられる取付け部１０１と、この取付け部１０１に延設された棒状部１０２と、この棒状部１０２の先端側に発条部１０３を介して取付けられた支持扞部１０４とを備えて構成されている。発条部１０３及び支持扞部１０４は、棒状部１０２に対して略々直角に取付けられておいる。そして、取付け部１０１を自転車等の車両の車体（荷台等）に取り付けたときには、発条部１０３及び支持扞部１０４は、棒状部１０２の先端側より、略々垂直上方に立ち上げられた状態となる。
【０００３】
そして、この動物用走行用具は、取付け部１０１の先端側に設けられた曳き綱端掛止部１０５に図示しない曳き綱の基端側を取り付けて用いる。この曳き綱は、支持扞部１０４の先端側に設けられた曳き綱挿通環１０６内に挿通され、先端側を犬等の動物に対して連結される。すなわち、この曳き綱の先端側は、犬等の動物に取付けられた首輪等に連結される。
【０００４】
この動物用走行用具は、自転車等の車両が走行し、この車両に引率されて犬等の動物も走行しているときに、動物が曳き綱を引っ張っても、発条部１０３が変位することによって、車両の走行安定性が維持されることを図ったものである。
【０００５】
【特許文献１】登録実用新案第３０３０８５２号公報
【発明の開示】
【発明が解決しようとする課題】
【０００６】
しかしながら、上述した動物用走行用具においては、犬等の動物が、例えば、マーキングや排泄のために、急停止したり、あるいは、他の犬や小動物などを追って急旋回したときには、曳き綱が急激に引っ張られ、発条部１０３の変位量が容易に変位可能な範囲の限界に達してしまい、曳き綱の張力が極度に高くなってしまう虞れがある。
【０００７】
このように曳き綱の張力が高くなってしまうと、犬等の動物への負担が大きくなってしまい、また、自転車等の車両の走行安定性が阻害され、この車両の運転者や周囲の歩行者が危険に曝されることとなる。
【０００８】
上述した動物用走行用具において、このような動物への負担や車両の走行安定性の阻害を回避するためには、予め車両を安全に停止させたうえで、車両を移動させるか、あるいは、曳き綱によって動物を引き戻すかしかなく、これらの動作はいずれも困難なものであった。
【０００９】
また、上述した動物用走行用具においては、犬等の動物が自転車等の車両の前方側（前輪の中心よりも前方）に移動してしまう虞れがある。車両が走行し、この車両に引率されて動物も走行しているときに、この動物が車両の前方側に移動すると、動物と前輪との干渉が生ずる虞れがあり、動物にとって危険であり、また、車両の走行安定性が阻害されることとなる。
【００１０】
一方、犬等の動物が自転車等の車両の前方側に移動できないように、曳き綱を短くしてしまうと、車両の後方側も含めて動物が車両に対して移動できる範囲が狭くなってしまい、動物に対する負担が増加し、また、危険性が生じ、さらに、車両の走行安定性が阻害される虞れもある。
【００１１】
そこで、本発明は、上述の実情に鑑みて提案されるものであって、自転車や自動二輪車等の車両を用いて、犬等の動物を引率して走行させるための動物用走行用具であって、必要なときに、速やかに、曳き綱の緊張を解放することができるようになされた動物用走行用具を提供しようとするものである。
【００１２】
また、本発明は、自転車や自動二輪車等の車両を用いて、犬等の動物を引率して走行させるための動物用走行用具であって、車両の後方側において動物が車両に対して移動できる範囲を狭くすることなく、動物が車両の前方側に移動することを防止できるようになされた動物用走行用具を提供しようとするものである。
【課題を解決するための手段】
【００１３】
前述の課題を解決するため、本発明に係る動物用走行用具は、以下の構成のいずれか一を有するものである。
【００１４】
〔構成１〕
車両に取付けられる取付け部と、この取付け部に対して発条部を介して支持される支持扞部と、この支持扞部の先端側に取付けられた保持部及びこの保持部に対して着脱可能に取付けられた被保持部からなる解放操作部と、基端側が解放操作部の被保持部に取付けられ先端側が動物に対する連結部となっている第１の曳き綱と、基端側が支持扞部の先端側に取付けられ先端側が解放操作部の被保持部に取付けられた第２の曳き綱とを備え、解放操作部の被保持部が保持部に装着されているときには、取付け部から連結部までの距離が、発条部、支持扞部及び第１の曳き綱の長さを合わせた距離となり、解放操作部の被保持部が保持部より解放されたときには、取付け部から連結部までの距離が、発条部、支持扞部、第２の曳き綱及び第１の曳き綱の長さを合わせた距離となることを特徴とするものである。
【００１５】
〔構成２〕
構成１を有する動物用走行用具において、解放操作部は、被保持部に設けられた操作部が保持部から離間する方向に手動操作されることにより、保持部による被保持部に対する保持を解放することを特徴とするものである。
【００１６】
〔構成３〕
構成１を有する動物用走行用具において、解放操作部は、保持部に設けられた操作部が手動操作されることにより、該保持部による被保持部に対する保持を解放することを特徴とするものである。
【００１７】
〔構成４〕
構成１を有する動物用走行用具において、解放操作部において、保持部による被保持部に対する保持を解放させる駆動手段と、駆動手段を遠隔操作する遠隔操作装置とを備え、解放操作部は、駆動手段が遠隔操作装置を介して駆動されることにより、保持部による被保持部に対する保持を解放することを特徴とするものである。
【００１８】
〔構成５〕
構成１乃至構成４のいずれか一を有する動物用走行用具において、第１の曳き綱の少なくとも一部は、コイル状に構成され、引っ張り力に対して弾性を有していることを特徴とするものである。
【００１９】
〔構成６〕
構成１乃至構成５のいずれか一を有する動物用走行用具において、発条部が変位することによる支持扞部の移動を規制する規制部材を備え、規制部材は、発条部が自然状態であるときの支持扞部の位置よりも車両の前方側に該支持扞部が移動することを規制することを特徴とするものである。
【００２０】
〔構成７〕
構成１乃至構成５のいずれか一を有する動物用走行用具において、第１の曳き綱の基端側より中途部までを覆ってこの第１の曳き綱に取付けられている管状部材と、この管状部材の移動を規制する規制部材とを備え、規制部材は、管状部材が支持扞部よりも車両の前方側に移動することを規制することを特徴とするものである。
【発明の効果】
【００２１】
構成１を有する本発明に係る動物用走行用具においては、解放操作部の被保持部が保持部に装着されているときには、取付け部から連結部までの距離が、発条部、支持扞部及び第１の曳き綱の長さを合わせた距離となり、解放操作部の被保持部が保持部より解放されたときには、取付け部から連結部までの距離が、発条部、支持扞部、第２の曳き綱及び第１の曳き綱の長さを合わせた距離となるので、犬等の動物が急停止、あるいは、急旋回したときでも、曳き綱の総長を長くすることよって、曳き綱の緊張状態を速やかに解放することができ、動物に対する負担を速やかに解消し、また、車両の走行安定性を維持することができる。そして、犬等の動物を車両から離れた任意の場所へ誘導することができる。
【００２２】
構成２を有する本発明に係る動物用走行用具においては、解放操作部は、被保持部に設けられた操作部が保持部から離間する方向に手動操作されることにより、保持部による被保持部に対する保持を解放するので、解放操作部における被保持部の解放操作を容易、かつ、迅速に行うことができる。
【００２３】
構成３を有する本発明に係る動物用走行用具においては、解放操作部は、保持部に設けられた操作部が手動操作されることにより、該保持部による被保持部に対する保持を解放するので、解放操作部における被保持部の解放操作を容易、かつ、迅速に行うことができる。
【００２４】
構成４を有する本発明に係る動物用走行用具においては、解放操作部は、駆動手段が遠隔操作装置を介して駆動されることにより、保持部による被保持部に対する保持を解放するので、解放操作部における被保持部の解放操作を容易、かつ、迅速に行うことができる。
【００２５】
構成５を有する本発明に係る動物用走行用具においては、第１の曳き綱の少なくとも一部は、コイル状に構成され、引っ張り力に対して弾性を有しているので、解放操作部において被保持部が解放される前、あるいは、解放操作部において被保持部が解放された後に、動物が、取付け部から、発条部、支持扞部、第２の曳き綱及び第１の曳き綱の長さを合わせた距離を超えて移動しようとした場合にも、動物に対する負担を軽減することができる。
【００２６】
構成６を有する本発明に係る動物用走行用具においては、規制部材は、発条部が自然状態であるときの支持扞部の位置よりも車両の前方側に該支持扞部が移動することを規制するので、車両の後方側において動物が車両に対して移動できる範囲を狭くせずに、動物が車両の前方側に移動することを防止することができる。
【００２７】
構成７を有する本発明に係る動物用走行用具においては、規制部材は、第１の曳き綱の基端側より中途部までを覆ってこの第１の曳き綱に取付けられている管状部材が支持扞部よりも車両の前方側に移動することを規制するので、車両の後方側において動物が車両に対して移動できる範囲を狭くせずに、動物が車両の前方側に移動することを防止することができる。
【００２８】
すなわち、本発明は、自転車や自動二輪車等の車両を用いて、犬等の動物を引率して走行させるための動物用走行用具であって、必要なときに、速やかに、曳き綱の緊張を解放することができるようになされた動物用走行用具を提供することができるものである。
【００２９】
また、本発明は、自転車や自動二輪車等の車両を用いて、犬等の動物を引率して走行させるための動物用走行用具であって、車両の後方側において動物が車両に対して移動できる範囲を狭くすることなく、動物が車両の前方側に移動することを防止できるようになされた動物用走行用具を提供することができるものである。
【発明を実施するための最良の形態】
【００３０】
以下、図面を参照して、本発明を実施するための最良の形態について説明する。
【００３１】
〔第１の実施の形態〕
図１は、本発明に係る動物用走行用具の実施形態を示す側面図である。
【００３２】
この動物用走行用具は、図１に示すように、自転車や自動二輪車等の車両に取付けられる取付け部１と、この取付け部１に対して発条（バネ）部４を介して支持された支持扞部５を有している。
【００３３】
取付け部１は、ネジ止め等により、自転車や自動二輪車等の車両の所定箇所、例えば、荷台、または、荷台近傍などに固定できるようになっている。前後調整部２及び上下調整部３を有しており、発条部４の基端側を前後方向及び上下方向に移動調整して固定できるようになっている。この取付け部１は、金属や合成樹脂等の堅牢な材料によって形成することが好ましい。
【００３４】
発条部４は、コイルバネ等によって構成されている。支持扞部５は、円柱状などの棒状に形成されている。この支持扞部５は、例えば、硬質塩化ビニール等の合成樹脂によって形成することが好ましい。
【００３５】
そして、支持扞部５の先端側には、解放操作部９が取付けられている。この解放操作部９は、保持部９ａ及びこの保持部９ａに対して着脱可能に取付けられた被保持部９ｂから構成されている。支持扞部５の先端側には、保持部９ａが取付けられている。
【００３６】
この解放操作部９においては、図２に示すように、被保持部９ｂに設けられた操作部９ｃが、図２中矢印Ａで示すように、保持部から９ａ離間する方向に手動操作されることにより、保持部９ａによる被保持部９ｂに対する保持が解放される。すなわち、この解放操作部９においては、被保持部９ｂは、保持部９ａ内に設けられた掛止爪によって掛止されて保持されており、操作部９ｃが操作されると、掛止爪が移動操作されて、保持部９ｂに対する掛止を解除するようになっている。
【００３７】
この解放操作部９においては、操作部９ｃを操作する方向が保持部から９ａ離間する方向であるので、後述するように、第１の曳き綱１０が保持部から９ａ離間する方向に引っ張られているときにも、容易に操作することができる。
【００３８】
この動物用走行用具は、図１に示すように、第１の曳き綱１０を有している。この第１の曳き綱１０は、基端側が、解放操作部９の被保持部９ｂに設けられた第１の曳き綱端係止部８に取付けられ、先端側が、動物に対する連結部１１となっている。この連結部１１は、犬等の動物の、例えば、首輪等に連結される。
【００３９】
また、この動物用走行用具は、第２の曳き綱７を有している。この第２の曳き綱７は、基端側が、支持扞部５の先端側に設けられた第２の曳き綱端係止部６に取付けられ、先端側が、被保持部９ｂの第１の曳き綱端係止部８に取付けられている。
【００４０】
この動物用走行用具においては、解放操作部９の被保持部９ｂが保持部９ｂに装着され保持されているときには、取付け部１から連結部１１までの距離は、発条部４、支持扞部５及び第１の曳き綱１０の長さを合わせた距離となる。
【００４１】
この状態において、自転車等の車両を走行させ、この車両により引率して犬等の動物も走行させることができる。また、このとき、犬等の動物が第１の曳き綱１０を引っ張った場合には、発条部４が変位し、車両の走行安定性が維持される。しかし、この状態においては、犬等の動物が、例えば、マーキングや排泄のために、急停止したり、あるいは、他の犬や小動物などを追って急旋回したときには、第１の曳き綱１０が急激に引っ張られ、発条部４の変位量が変位可能な範囲の限界に達してしまうことがある。このような場合、または、車両の運転者が意図的に動物を車両から離れた任意の場所へ誘導したいときなどには、この動物用走行用具においては、操作部９ｃを操作し、保持部９ａによる被保持部９ｂに対する保持を解放させる。
【００４２】
解放操作部９の被保持部９ｂが保持部９ａより解放されたときには、図３に示すように、取付け部１から連結部１１までの距離が、発条部４、支持扞部５、第２の曳き綱７及び第１の曳き綱１０の長さを合わせた距離となる。すなわち、このとき、第１の曳き綱１０と第２の曳き綱７とは、解放操作部９の被保持部９ｂを間に介した一連の綱となる。すると、第１の曳き綱１０において発生していた緊張状態は解放され、動物に対する負担が速やかに解消され、また、車両に対する引っ張り力も解消されるので、走行安定性が維持され安全な体勢が維持され、転倒などが防止される。そして、動物を車両から離れた任意の場所へ誘導することができる。
【００４３】
上述したように、この動物用走行用具においては、操作部９ｃを操作する方向が保持部から９ａ離間する方向であるので、第１の曳き綱１０が保持部から９ａ離間する方向に引っ張られて緊張しているときでも、僅少の力で容易に操作することができる。
【００４４】
なお、第１の曳き綱１０が弛緩している状態においても、被保持部９ｂを保持部９ａより解放させ、速やかに曳き綱の総長を長くして、動物を車両から離れた任意の場所へ誘導することができる。
【００４５】
〔第２の実施の形態〕
そして、この動物用走行用具においては、図４に示すように、解放操作部９は、保持部９ａに設けられた操作部９ｃが手動操作されることにより、保持部９ａによる被保持部９ｂに対する保持が解放されるように構成してもよい。
【００４６】
この場合にも、操作部９ｃが保持部から９ａに設けられていることにより、第１の曳き綱１０が保持部から９ａ離間する方向に引っ張られて緊張しているときでも、僅少の力で容易に操作することができる。
【００４７】
〔第３の実施の形態〕
そして、この動物用走行用具においては、解放操作部９において、保持部９ａによる被保持部９ｂに対する保持を解放させる駆動手段としてモータやプランジャを内蔵させ、これらモータやプランジャを、有線、または、無線の遠隔操作により駆動させるようにしてもよい。モータやプランジャの遠隔操作は、遠隔操作装置（リモートコントローラ）によって行われる。
【００４８】
この場合には、解放操作部９は、モータやプランジャが遠隔操作装置を介して駆動されることにより、保持部９ａによる被保持部９ｂに対する保持が解放される。遠隔操作装置は、車両の操作部（ハンドルなど）に取り付けておくことが好ましい。
【００４９】
〔第４の実施の形態〕
この動物用走行用具においては、図５に示すように、第１の曳き綱１０の少なくとも一部を、コイル状に構成され引っ張り力に対して弾性を有するものとして構成してもよい。このようなコイル状の曳き綱は、適度の弾性を有する合成樹脂材料によって構成することが好ましい。
【００５０】
このように、第１の曳き綱１０の少なくとも一部を引っ張り力に対して弾性を有するものとした場合には、保持部９ａにより被保持部９ｂを保持したままの状態において、犬等の動物が第１の曳き綱１０を引っ張った場合に、この動物に対する負担（衝撃）を軽減することができる。また、保持部９ａによる被保持部９ｂの保持を解放させた状態においても、犬等の動物が第１の曳き綱１０を引っ張った場合に、この動物に対する負担（衝撃）を軽減することができる。
【００５１】
〔第５の実施の形態〕
この動物用走行用具においては、図６に示すように、発条部４が変位することによる支持扞部５の移動を規制する規制部材１２を設けて構成してもよい。この規制部材１２は、発条部４が自然状態であるときの支持扞部５の位置よりも、この支持扞部５が車両の前方側に移動することを規制するものである。この規制部材１２としては、例えば、支持扞部５の先端側と車両の後方側部分とを繋ぐ鎖やリンク等を使用することができる。
【００５２】
この規制部材１２により、車両の後方側において動物が車両に対して移動できる範囲を狭くすることなく、動物が車両の前方側に移動することを防止できる。
【００５３】
〔第６の実施の形態〕
この動物用走行用具においては、図７に示すように、第１の曳き綱１０の基端側より中途部までを覆ってこの第１の曳き綱１０に管状部材１３を取付け、この管状部材１３の移動を規制する規制部材１４を設けて構成してもよい。この規制部材１４は、管状部材１３が、支持扞部５よりも車両の前方側に移動することを規制するものである。管状部材１３は、金属や合成樹脂材料など、十分に高い剛性を有する材料によって構成することが望ましい。
【００５４】
管状部材１３が支持扞部５よりも前方側に移動しないことにより、第１の曳き綱１０の先端側に連結された動物は、車両の前方側には、第１の曳き綱１０のうち管状部材１３によって覆われていない部分の長さ分しか移動できない。そして、管状部材１３は支持扞部５よりも後方側には移動できるので、第１の曳き綱１０の先端側に連結された動物は、車両の後方側には、第１の曳き綱１０の全長にあたる距離まで移動できる。
【００５５】
すなわち、これら管状部材１３及び規制部材１４により、車両の後方側において動物が車両に対して移動できる範囲を狭くすることなく、動物が車両の前方側に移動することを防止できる。
【図面の簡単な説明】
【００５６】
【図１】本発明に係る動物用走行用具の実施形態を示す側面図である。
【図２】上記動物用走行用具における解放操作部の構成を示す側面図である。
【図３】上記動物用走行用具において解放操作部の解放操作がなされた状態を示す側面図である。
【図４】上記動物用走行用具における解放操作部の構成の他の例を示す側面図である。
【図５】上記動物用走行用具における第１の曳き綱の構成の他の例を示す側面図である。
【図６】上記動物用走行用具における規制部材の構成を示す平面図である。
【図７】上記動物用走行用具における規制部材の構成の他の例を示す側面図である。
【図８】従来技術を示す側面図である。
【符号の説明】
【００５７】
１  取付け部
４  発条部
５  支持扞部
６  第２の曳き綱端係止部
７  第２の曳き綱
８  第１の曳き綱端係止部
９  解放操作部
１０  第１の曳き綱
１１  連結部
【図１】
2006067961.tif 000003
【図２】
2006067961.tif 000004
【図３】
2006067961.tif 000005
【図４】
2006067961.tif 000006
【図５】
2006067961.tif 000007
【図６】
2006067961.tif 000008
【図７】
2006067961.tif 000009
【図８】
2006067961.tif 000010